(57)【要約】センサパッドと、センサパッドから受信した信号に応答して１つ又は複数の通知を生成する電子モジュールとを含む通知デバイスが提供される。第１の実施形態では、センサパッドは、患者によって加えられた圧力を検知し、圧力信号を生成するための圧力センサと、失禁による水分を検知し、水分が検出された際に水分検出信号を生成するための導電性トレースとを含む。別の実施形態では、吸水性センサパッドは、水分を検知するためのセンサパッドを含み、上面に吸水性材料を伴う不透水性シートを有する吸水性チャックを含み、不透水性シートは、センサパッドを受け入れるための開口部を有する。吸水性センサパッドは、おむつの形態で提供することができる。
2019506999.tif 000002
【特許請求の範囲】
【請求項１】
患者の動き通知及び失禁通知を提供するための通知デバイスにおける使用のためのセンサパッドであって、患者によって加えられた圧力を検知し、前記患者によって加えられた圧力が検知され次第、圧力信号を生成するための圧力センサを備え、失禁による水分を検知し、水分が第１及び第２の導電性トレースに広がった際に水分検出信号を生成するためにその外側上面に提供された第１及び第２の近接導電性トレースをさらに備える、センサパッド。
【請求項２】
請求項１に記載のセンサパッドであって、
第１及び第２の導電性接触面を形成するために、前記導電性トレースが提供される前記上面とは反対側のその表面に印刷された導電性インクを有するシートと、
各々が前記第１及び第２の導電性接触面のそれぞれの１つに固定される第１及び第２のワイヤであって、前記通知デバイスの電子モジュールとの電気的結合を提供する、第１及び第２のワイヤと、
各々が前記第１及び第２の導電性トレースのそれぞれの１つに固定される第３及び第４のワイヤであって、前記通知デバイスの前記電子モジュールとの電気的結合を提供する、第３及び第４のワイヤと、
前記第１及び第２の導電性接触面のうちの１つの導電性接触面上に提供された発泡体と
をさらに備え、
前記シートが、前記第１及び第２の導電性接触面が前記センサパッドの内側にあり、前記第１及び第２の導電性接触面が互いに向き合い、前記発泡体が前記第１の導電性接触面と前記第２の導電性接触面との間に配置された状態で前記圧力センサを形成するように、並びに、前記第１及び第２の導電性トレースが前記センサパッドの前記外側上面に位置するように、折り畳まれて密閉される、センサパッド。
【請求項３】
請求項１又は２に記載のセンサパッドであって、
上面に吸水性材料を有する不透水性シートを備える吸水性チャック
をさらに備え、
前記チャックの前記不透水性シートが、前記センサパッドを受け入れるための開口部を有し、その結果、前記センサパッド上の前記第１及び第２の導電性トレースが、前記開口部を通じて又は前記開口部の上方に露出される、センサパッド。
【請求項４】
中央領域と、
前記中央領域から第１の方向に延在する第１の従属脚部と、
前記中央領域から第２の方向に延在する第２の従属脚部であって、前記第２の方向が、前記第１の方向とは反対の方向である、第２の従属脚部と、
前記中央領域から第３の方向に延在する第３の従属脚部であって、前記第３の方向が、前記第１及び第２の方向に実質的に垂直である、第３の従属脚部と、
前記中央領域から第４の方向に延在する第４の従属脚部であって、前記第４の方向が、前記第３の方向とは反対の方向であり、前記第１及び第２の方向に実質的に垂直である、第４の従属脚部と
を備える、請求項１〜３のいずれか一項に記載のセンサパッド。
【請求項５】
患者の動き通知及び失禁通知を提供するための通知デバイスであって、
請求項１〜４のいずれか一項に記載のセンサパッドと、
前記センサパッドからの前記圧力信号の受信に応答して患者の動きの通知を生成するため及び前記センサパッドからの前記水分検出信号の受信に応答して失禁の通知を生成するために前記センサパッドに通信可能に結合された電子モジュールと
を備える、通知デバイス。
【請求項６】
前記センサパッドが、
第１及び第２の導電性接触面を形成するために、前記導電性トレースが提供される前記上面とは反対側のその表面に印刷された導電性インクを有するシートと、
各々が前記第１及び第２の導電性接触面のそれぞれの１つに固定される第１及び第２のワイヤであって、前記電子モジュールとの電気的結合を提供する、第１及び第２のワイヤと、
各々が前記第１及び第２の導電性トレースのそれぞれの１つに固定される第３及び第４のワイヤであって、前記電子モジュールとの電気的結合を提供する、第３及び第４のワイヤと、
前記第１及び第２の導電性接触面のうちの１つの導電性接触面上に提供された発泡体と
を備え、
前記シートが、前記第１及び第２の導電性接触面が前記センサパッドの内側にあり、前記第１及び第２の導電性接触面が互いに向き合い、前記発泡体が前記第１の導電性接触面と前記第２の導電性接触面との間に配置された状態で前記圧力センサを形成するように、並びに、前記第１及び第２の導電性トレースが前記センサパッドの前記外側上面に位置するように、折り畳まれて密閉される、請求項５に記載の通知デバイス。
【請求項７】
前記センサパッドが、第１の検知ゾーン及び第２の検知ゾーンを備え、
前記第１の検知ゾーンが、前記患者によって前記第１の検知ゾーンに加えられた圧力を検知し、前記患者によって前記第１の検知ゾーンに加えられた圧力が検知され次第、第１の圧力信号を生成し、
前記第２の検知ゾーンが、前記患者によって前記第２の検知ゾーンに加えられた圧力を検知し、前記患者によって前記第２の検知ゾーンに加えられた圧力が検知され次第、第２の圧力信号を生成し、
前記電子モジュールが、前記センサパッドからの前記第１の圧力信号及び第２の圧力信号の少なくとも１つの受信又は非受信に応答して患者の動きの通知を生成する、請求項５又は６に記載の通知デバイス。
【請求項８】
前記第１の検知ゾーンが、前記センサパッド上に、前記患者が横になる可能性が高いベッドの中央に向けて位置し、
前記第２の検知ゾーンが、前記センサパッド上に、前記患者が前記ベッドを抜け出し得る前記ベッドの側方に向けて位置する、請求項７に記載の通知デバイス。
【請求項９】
前記電子モジュールが、前記第１の圧力信号が受信され次第、モニタリングモードに入り、
前記第１の圧力信号の受信が、前記患者が前記第１の検知ゾーンに圧力を加えていることを示す、請求項８に記載の通知デバイス。
【請求項１０】
前記モニタリングモードの際は、前記電子モジュールが、前記第１の圧力信号が受信されている限り、患者の動きの通知を生成しない、請求項９に記載の通知デバイス。
【請求項１１】
前記モニタリングモードの際は、前記電子モジュールが、既定の期間の間に前記第１の圧力信号を受信しなかった際に患者の動きの通知を生成する、請求項９に記載の通知デバイス。
【請求項１２】
前記モニタリングモードの際は、前記電子モジュールが、もはや前記第１の圧力信号を受信していないが、前記第２の圧力信号を受信しており、それにより、前記患者が前記第１の検知ゾーンから前記第２の検知ゾーンに移動したことが示される際に患者の動きの通知を生成する、請求項９に記載の通知デバイス。
【請求項１３】
前記センサパッドが、第３の検知ゾーンを備え、
前記第３の検知ゾーンが、前記患者によって前記第３の検知ゾーンに加えられた圧力を検知し、前記患者によって前記第３の検知ゾーンに加えられた圧力が検知され次第、第３の圧力信号を生成し、
前記第３の検知ゾーンが、前記センサパッド上に、前記患者が前記ベッドを抜け出し得る前記ベッドの側方の反対側に向けて位置付けられるように、前記第２の検知ゾーンが位置する端部とは反対側の前記センサパッドの端部に位置する、請求項８に記載の通知デバイス。
【請求項１４】
前記電子モジュールが、前記第１の圧力信号が受信され次第、モニタリングモードに入り、
前記第１の圧力信号の受信が、前記患者が前記第１の検知ゾーンに圧力を加えていることを示す、請求項１３に記載の通知デバイス。
【請求項１５】
前記モニタリングモードの際は、前記電子モジュールが、もはや前記第１の圧力信号を受信していないが、前記第２の圧力信号又は前記第３の圧力信号のいずれかを受信しており、それにより、前記患者が前記第１の検知ゾーンから前記第２の検知ゾーン又は前記第３の検知ゾーンのいずれかに移動したことが示される際に患者の動きの通知を生成する、請求項１４に記載の通知デバイス。
【請求項１６】
前記センサパッドが、ベッドのマットレスに組み入れられる、請求項７〜１５のいずれか一項に記載の通知デバイス。
【請求項１７】
失禁通知デバイスで使用するための吸水性検知パッドであって、
失禁による水分を検知し、水分が第１及び第２の導電性トレースに広がった際に水分検出信号を生成するためにその外側上面に提供された第１及び第２の近接導電性トレースを備えるセンサパッドと、
上面に吸水性材料を有する不透水性シートを備える吸水性チャックであって、前記チャックの前記不透水性シートが、前記センサパッドを受け入れるための開口部を有し、その結果、前記センサパッド上の前記第１及び第２の導電性トレースが、前記開口部を通じて又は前記開口部の上方に露出される、吸水性チャックと
を備える、吸水性検知パッド。
【請求項１８】
前記第１及び第２の導電性トレースが提供される前記上面を有するシートと、
各々が前記第１及び第２の導電性トレースのそれぞれの１つに固定される第１及び第２のワイヤであって、前記失禁通知デバイスの電子モジュールとの電気的結合を提供する、第１及び第２のワイヤと
をさらに備える、請求項１７に記載の吸水性検知パッド。
【請求項１９】
前記吸水性チャックが、おむつの形態で成形されるように構成される、請求項１７又は１８に記載の吸水性検知パッド。
【請求項２０】
前記センサパッドが、患者によって加えられた圧力を検知し、前記患者によって加えられた圧力が検知され次第、圧力信号を生成するための圧力センサを備える、請求項１７〜１９のいずれか一項に記載の吸水性検知パッド。
【請求項２１】
請求項１７〜２０のいずれか一項に記載の吸水性検知パッドと、
前記センサパッドからの前記水分検出信号の受信に応答して失禁の通知を生成するために前記センサパッドに通信可能に結合された電子モジュールと
を備える失禁通知デバイス。
【請求項２２】
失禁による水分を検知し、水分が第１及び第２の導電性トレースに広がった際に水分検出信号を生成するためにその外側上面に提供された第１及び第２の近接導電性トレースを備えるセンサパッドと、
上面に吸水性材料を有する不透水性シートであって、前記センサパッドを受け入れるための開口部を有し、その結果、前記センサパッド上の前記第１及び第２の導電性トレースが、前記開口部を通じて又は前記開口部の上方に露出される、不透水性シートと
を備える、おむつ。
【請求項２３】
前記第１及び第２の導電性トレースが提供される前記上面を有するシートと、
各々が前記第１及び第２の導電性トレースのそれぞれの１つに固定される第１及び第２のワイヤであって、前記失禁通知デバイスの電子モジュールとの電気的結合を提供する、第１及び第２のワイヤと
をさらに備える、請求項２２に記載のおむつ。
【請求項２４】
患者の動き通知及び失禁通知を提供するための通知デバイスであって、
患者によって加えられた圧力を検知し、前記患者によって加えられた圧力が検知され次第、圧力信号を生成するための統合圧力センサを有するマットレスと、
失禁による水分を検知し、水分が第１及び第２の導電性トレースに広がった際に水分検出信号を生成するためにその外側上面に提供された第１及び第２の近接導電性トレースを備えるセンサパッドと、
前記圧力センサからの前記圧力信号の受信に応答して患者の動きの通知を生成するために前記圧力センサに通信可能に結合され、前記センサパッドからの前記水分検出信号の受信に応答して失禁の通知を生成するために前記センサパッドに通信可能に結合された電子モジュールと
を備える、通知デバイス。
【請求項２５】
上面に吸水性材料を有する不透水性シートを備える吸水性チャック
をさらに備え、
前記チャックの前記不透水性シートが、前記センサパッドを受け入れるための開口部を有し、その結果、前記センサパッド上の前記第１及び第２の導電性トレースが、前記開口部を通じて又は前記開口部の上方に露出される、請求項２４に記載の通知デバイス。
【請求項２６】
患者の動き通知デバイスにおける使用のためのセンサパッドであって、
前記センサパッドが第１の検知ゾーン及び第２の検知ゾーンを備え、
前記第１の検知ゾーンが、前記患者によって前記第１の検知ゾーンに加えられた圧力を検知し、前記患者によって前記第１の検知ゾーンに加えられた圧力が検知され次第、第１の圧力信号を生成し、
前記第２の検知ゾーンが、前記患者によって前記第２の検知ゾーンに加えられた圧力を検知し、前記患者によって前記第２の検知ゾーンに加えられた圧力が検知され次第、第２の圧力信号を生成する、センサパッド。
【請求項２７】
前記第１の検知ゾーンが、前記センサパッド上に、前記患者が横になる可能性が高いベッドの中央に向けて位置し、前記第２の検知ゾーンが、前記センサパッド上に、前記患者が前記ベッドを抜け出し得る前記ベッドの側方に向けて位置する、請求項２６に記載のセンサパッド。
【請求項２８】
第３の検知ゾーンをさらに備え、
前記第３の検知ゾーンが、前記患者によって前記第３の検知ゾーンに加えられた圧力を検知し、前記患者によって前記第３の検知ゾーンに加えられた圧力が検知され次第、第３の圧力信号を生成する、請求項２６又は２７に記載のセンサパッド。
【請求項２９】
前記第１の検知ゾーンが、前記センサパッドの中央に位置し、
前記第２及び第３の検知ゾーンが、前記センサパッド上の前記第１の検知ゾーンの両側に位置する、請求項２８に記載のセンサパッド。
【請求項３０】
各検知ゾーンに対して、第１及び第２の導電性接触面を形成するために、その第１の表面に印刷された導電性インクを有するシートと、
各々が前記第１及び第２の導電性接触面のそれぞれの１つに固定される第１及び第２のワイヤであって、前記患者の動き通知デバイスの電子モジュールとの電気的結合を提供する、第１及び第２のワイヤと、
前記第１及び第２の導電性接触面のうちの１つの導電性接触面上に提供された発泡体と
をさらに備え、
前記シートが、各検知ゾーンに対して、前記第１及び第２の導電性接触面が互いに向き合い、前記発泡体が前記第１の導電性接触面と前記第２の導電性接触面との間に配置されるように、折り畳まれて密閉される、請求項２６〜２９のいずれか一項に記載のセンサパッド。
【請求項３１】
請求項２６〜３０のいずれか一項に記載のセンサパッドと、
前記センサパッドからの前記第１の圧力信号及び第２の圧力信号の少なくとも１つの受信又は非受信に応答して患者の動きの通知を生成するために前記センサパッドに通信可能に結合された電子モジュールと
を備える、患者の動き通知デバイス。
【請求項３２】
前記第１の検知ゾーンが、前記センサパッド上に、前記患者が横になる可能性が高いベッドの中央に向けて位置し、
前記第２の検知ゾーンが、前記センサパッド上に、前記患者が前記ベッドを抜け出し得る前記ベッドの側方に向けて位置する、請求項３１に記載の患者の動き通知デバイス。
【請求項３３】
前記電子モジュールが、前記第１の圧力信号が受信され次第、モニタリングモードに入り、
前記第１の圧力信号の受信が、前記患者が前記第１の検知ゾーンに圧力を加えていることを示す、請求項３２に記載の患者の動き通知デバイス。
【請求項３４】
前記モニタリングモードの際は、前記電子モジュールが、前記第１の圧力信号が受信されている限り、患者の動きの通知を生成しない、請求項３３に記載の患者の動き通知デバイス。
【請求項３５】
前記モニタリングモードの際は、前記電子モジュールが、既定の期間の間に前記第１の圧力信号を受信しなかった際に患者の動きの通知を生成する、請求項３３に記載の患者の動き通知デバイス。
【請求項３６】
前記モニタリングモードの際は、前記電子モジュールが、もはや前記第１の圧力信号を受信していないが、前記第２の圧力信号を受信しており、それにより、前記患者が前記第１の検知ゾーンから前記第２の検知ゾーンに移動したことが示される際に患者の動きの通知を生成する、請求項３３に記載の患者の動き通知デバイス。
【請求項３７】
前記センサパッドが、第３の検知ゾーンを備え、
前記第３の検知ゾーンが、前記患者によって前記第３の検知ゾーンに加えられた圧力を検知し、前記患者によって前記第３の検知ゾーンに加えられた圧力が検知され次第、第３の圧力信号を生成し、
前記第３の検知ゾーンが、前記センサパッド上に、前記患者が前記ベッドを抜け出し得る前記ベッドの側方の反対側に向けて位置付けられるように、前記第２の検知ゾーンが位置する端部とは反対側の前記センサパッドの端部に位置する、請求項３２に記載の患者の動き通知デバイス。
【請求項３８】
前記電子モジュールが、前記第１の圧力信号が受信され次第、モニタリングモードに入り、
前記第１の圧力信号の受信が、前記患者が前記第１の検知ゾーンに圧力を加えていることを示す、請求項３７に記載の患者の動き通知デバイス。
【請求項３９】
前記モニタリングモードの際は、前記電子モジュールが、もはや前記第１の圧力信号を受信していないが、前記第２の圧力信号又は前記第３の圧力信号のいずれかを受信しており、それにより、前記患者が前記第１の検知ゾーンから前記第２の検知ゾーン又は前記第３の検知ゾーンのいずれかに移動したことが示される際に患者の動きの通知を生成する、請求項３８に記載の患者の動き通知デバイス。
【請求項４０】
前記センサパッドが、ベッドのマットレスに組み入れられる、請求項３１〜３９のいずれか一項に記載の患者の動き通知デバイス。
【発明の詳細な説明】
【技術分野】
【０００１】
本発明は、概して、患者の動き通知デバイス、失禁通知デバイス、失禁通知デバイスを有するおむつ、患者の動き通知・失禁通知複合デバイス、チャック・失禁通知複合デバイス、及びチャック・失禁通知・患者の動き通知複合デバイスに関する。
【背景技術】
【０００２】
患者の動き通知デバイスは、より優れた支援を提供することができる患者の看護人に通知する上で役立つ。そのようなデバイスは、転倒関連のけがのリスクが高い患者のために、又は、立っていられるほど健康ではない患者（術後の患者など）のために使用される。
【０００３】
現在では、患者と、ベッド、椅子又はトイレの便器との間に位置付けられた使い捨てセンサと、患者がベッドから出るか又は椅子から立ち上がることでパッドから圧力が除去された際に警報が発生するようにセンサに接続される電子モジュールとを含む患者の動き通知デバイスが使用されている。警報は、「ベッドにいてください。そして、助けが必要ならば、ナースコールボタンを使用してください。」などの記録された音声コマンド又は看護人が記録を望む他の任意のメッセージであり得る。
【発明の概要】
【発明が解決しようとする課題】
【０００４】
既存の患者の動き通知デバイスは、いくつかの欠点を抱えている。第１に、それらのデバイスは、患者がベッドで寝返りを打っただけで誤警報を出す傾向がある。第２に、それらのデバイスは、エアマットレス上で使用される際は、特に、約７０〜１５０ポンドの体重の患者の場合、センサパッドはセンサパッドの上下からの圧力損失を効果的に区別しないため、正確に動作しない可能性がある。センサは感圧性であり、センサに圧力を加え続けると、患者によって圧力が除去された際にセンサは再び膨張することができない可能性があるため、センサは、使い捨てと見なされており、典型的には、１５日以下しか使用されない。しかし、病院では、使用回数をモニタすることは困難であり、その結果、センサは、許容される１５日間の耐用期間をはるかに超えて使用される場合が多い。
【０００５】
失禁通知デバイスは、患者がベッドで排尿した際にそれを検出することを意図することで知られている。そのような失禁デバイスは、患者の鼠径部の下に置かれ、多くの場合、不透水性ストリップの上面に提供される導電性トレースを使用することによって、水分が検知され次第、警報をトリガする。そのような失禁通知デバイスの不透水性ストリップは、使い捨てであり、尿を吸収する上では役立たない。
【０００６】
失禁問題は、患者の下に置かれた大きな使い捨ての吸水性パッドである「チャック」を使用することによって選択的に扱われる場合が多い。そのようなチャックは、おむつで使用されるものと同様の吸水性材料で作られている。そのようなチャックの例は、米国特許第６，６７５，７０２号明細書で開示されている。そのようなチャックは、患者が排尿した際にそれを看護人に通知する上では役立たない。
【課題を解決するための手段】
【０００７】
本発明の実施形態によれば、第１の検知ゾーン及び第２の検知ゾーンを備えるセンサパッドであって、第１の検知ゾーンが、患者によって第１の検知ゾーンに加えられた圧力を検知し、患者によって第１の検知ゾーンに加えられた圧力が検知され次第、第１の圧力信号を生成し、第２の検知ゾーンが、患者によって第２の検知ゾーンに加えられた圧力を検知し、患者によって第２の検知ゾーンに加えられた圧力が検知され次第、第２の圧力信号を生成する、センサパッドと、センサパッドからの第１の圧力信号及び第２の圧力信号の少なくとも１つの受信又は非受信に応答して患者の動きの通知を生成するためにセンサパッドに通信可能に結合された電子モジュールとを備える患者の動き通知デバイスが提供される。
【０００８】
本発明の別の実施形態によれば、センサパッドは、患者の動き通知デバイスにおける使用のために提供される。センサパッドは、第１の検知ゾーン及び第２の検知ゾーンを備え、第１の検知ゾーンは、患者によって第１の検知ゾーンに加えられた圧力を検知し、患者によって第１の検知ゾーンに加えられた圧力が検知され次第、第１の圧力信号を生成し、第２の検知ゾーンは、患者によって第２の検知ゾーンに加えられた圧力を検知し、患者によって第２の検知ゾーンに加えられた圧力が検知され次第、第２の圧力信号を生成する。
【０００９】
本発明の別の実施形態によれば、通知デバイスは、患者の動き通知と失禁通知の両方を提供するために提供される。通知デバイスは、患者によって加えられた圧力を検知し、患者によって加えられた圧力が検知され次第、圧力信号を生成するための圧力センサを備えるセンサパッドであって、失禁による水分を検知し、水分が第１及び第２の導電性トレースに広がった際に水分検出信号を生成するためにその外側上面に提供された第１及び第２の近接導電性トレースをさらに備える、センサパッドと、センサパッドからの圧力信号の受信に応答して患者の動きの通知を生成するため及びセンサパッドからの水分検出信号の受信に応答して失禁の通知を生成するためにセンサパッドに通信可能に結合された電子モジュールとを備える。
【００１０】
本発明の別の実施形態によれば、センサパッドは、患者の動き通知と失禁通知の両方を提供するために提供される。センサパッドは、患者によって加えられた圧力を検知し、患者によって加えられた圧力が検知され次第、圧力信号を生成するための圧力センサを備え、センサパッドは、失禁による水分を検知し、水分が第１及び第２の導電性トレースに広がった際に水分検出信号を生成するためにその外側上面に提供された第１及び第２の近接導電性トレースをさらに備える。
【００１１】
本発明の別の実施形態によれば、失禁による水分を検知し、水分が第１及び第２の導電性トレースに広がった際に水分検出信号を生成するためにその外側上面に提供された第１及び第２の近接導電性トレースを備えるセンサパッドと、その上面に吸水性材料を有する不透水性シートを備える吸水性チャックであって、チャックの不透水性シートが、センサパッドを受け入れるための開口部を有し、その結果、センサパッド上の第１及び第２の導電性トレースが、開口部を通じて又は開口部の上方に露出される、吸水性チャックと、センサパッドからの水分検出信号の受信に応答して失禁の通知を生成するためにセンサパッドに通信可能に結合された電子モジュールとを備える失禁通知デバイスが提供される。
【００１２】
本発明の別の実施形態によれば、吸水性検知パッドは、失禁通知デバイスでの使用のために提供される。吸水性検知パッドは、失禁による水分を検知し、水分が第１及び第２の導電性トレースに広がった際に水分検出信号を生成するためにその外側上面に提供された第１及び第２の近接導電性トレースを備えるセンサパッドと、その上面に吸水性材料を有する不透水性シートを備える吸水性チャックであって、チャックの不透水性シートが、センサパッドを受け入れるための開口部を有し、その結果、センサパッド上の第１及び第２の導電性トレースが、開口部を通じて又は開口部の上方に露出される、吸水性チャックとを備える。
【００１３】
本発明の別の実施形態によれば、通知デバイスは、患者の動き通知と失禁通知の両方を提供するために提供される。通知デバイスは、患者によって加えられた圧力を検知し、患者によって加えられた圧力が検知され次第、圧力信号を生成するための圧力センサを備えるセンサパッドであって、失禁による水分を検知し、水分が第１及び第２の導電性トレースに広がった際に水分検出信号を生成するためにその外側上面に提供された第１及び第２の近接導電性トレースをさらに備える、センサパッドと、その上面に吸水性材料を有する不透水性シートを備える吸水性チャックであって、チャックの不透水性シートが、センサパッドを受け入れるための開口部を有し、その結果、センサパッド上の第１及び第２の導電性トレースが、開口部を通じて又は開口部の上方に露出される、吸水性チャックと、センサパッドからの圧力信号の受信に応答して患者の動きの通知を生成するため及びセンサパッドからの水分検出信号の受信に応答して失禁の通知を生成するためにセンサパッドに通信可能に結合された電子モジュールとを備える。
【００１４】
本発明の別の実施形態によれば、吸水性センサパッドは、患者の動き通知と失禁通知の両方を提供するための通知デバイスにおける使用のために提供される。吸水性センサパッドは、患者によって加えられた圧力を検知し、患者によって加えられた圧力が検知され次第、圧力信号を生成するための圧力センサを備えるセンサパッドであって、失禁による水分を検知し、水分が第１及び第２の導電性トレースに広がった際に水分検出信号を生成するためにその外側上面に提供された第１及び第２の近接導電性トレースをさらに備える、センサパッドと、その上面に吸水性材料を有する不透水性シートを備える吸水性チャックであって、チャックの不透水性シートが、センサパッドを受け入れるための開口部を有し、その結果、センサパッド上の第１及び第２の導電性トレースが、開口部を通じて又は開口部の上方に露出される、吸水性チャックとを備える。
【００１５】
本発明の別の実施形態によれば、センサパッドは、患者の動き通知デバイスにおける使用のために提供される。センサパッドは、中央領域と、中央領域から第１の方向に延在する第１の従属脚部と、中央領域から第２の方向に延在する第２の従属脚部であって、第２の方向が、第１の方向とは反対の方向である、第２の従属脚部と、中央領域から第３の方向に延在する第３の従属脚部であって、第３の方向が、第１及び第２の方向に実質的に垂直である、第３の従属脚部と、中央領域から第４の方向に延在する第４の従属脚部であって、第４の方向が、第３の方向とは反対の方向であり、第１及び第２の方向に実質的に垂直である、第４の従属脚部と、患者によって加えられた圧力を検知し、患者によって加えられた圧力が検知され次第、圧力信号を生成するための圧力センサとを備える。
【００１６】
本発明の別の実施形態によれば、失禁による水分を検知し、水分が第１及び第２の導電性トレースに広がった際に水分検出信号を生成するためにその外側上面に提供された第１及び第２の近接導電性トレースを備えるセンサパッドと、その上面に吸水性材料を有する不透水性シートであって、センサパッドを受け入れるための開口部を有し、その結果、センサパッド上の第１及び第２の導電性トレースが、開口部を通じて又は開口部の上方に露出される、不透水性シートとを備えるおむつが提供される。
【００１７】
本発明の別の実施形態によれば、通知デバイスは、患者の動き通知及び失禁通知を提供するために提供される。デバイスは、患者によって加えられた圧力を検知し、患者によって加えられた圧力が検知され次第、圧力信号を生成するための統合圧力センサを有するマットレスと、失禁による水分を検知し、水分が第１及び第２の導電性トレースに広がった際に水分検出信号を生成するためにその外側上面に提供された第１及び第２の近接導電性トレースを備えるセンサパッドと、圧力センサからの圧力信号の受信に応答して患者の動きの通知を生成するために圧力センサに通信可能に結合された電子モジュールであって、センサパッドからの水分検出信号の受信に応答して失禁の通知を生成するためにセンサパッドに通信可能に結合される、電子モジュールとを備える。
【００１８】
本発明のこれらの及び他の特徴、利点及び目的は、当業者であれば、以下の明細書、請求項及び添付の図面を参照することによって、さらに理解及び把握されよう。
【図面の簡単な説明】
【００１９】
【図１】本発明の実施形態による患者の動き通知デバイスの部分的な等角図である。
【図１Ａ】図１に示される患者の動き通知デバイスの電子モジュールの一部のラインＡ−Ａに沿って取られた断面の立面図である。
【図２】図１に示される患者の動き通知デバイスの電子モジュールのブロック形態の電気回路図である。
【図３】第１の実施形態によるセンサパッドの上平面図である。
【図４】第２の実施形態による吸水性センサパッドの第１のバージョンの断面図である。
【図５】第２の実施形態による吸水性センサパッドの第２のバージョンの断面図である。
【図６】第３の実施形態によるセンサパッドの上平面図である。
【図７】第４の実施形態によるセンサパッドの上平面図である。
【図８】部分的に組み立てられた状態で示された、図１に示される患者の動き通知デバイスのセンサパッドの斜視図である。
【図９Ａ】失禁検知デバイスを有するおむつの斜視図である。
【図９Ｂ】失禁検知デバイスを有するおむつの分解斜視図である。
【図１０】患者の動き通知デバイスを組み入れることができる吸水性チャック／失禁検知デバイス及びベッドの斜視図である。
【発明を実施するための形態】
【００２０】
ここでは、本発明の好ましい実施形態を詳細に参照し、その例は、添付の図面に示される。可能な限り、同じ又は同様の部品を指すために、図面全体を通じて同じ参照番号を使用する。図面では、描写される構造要素は、原寸に比例しておらず、ある特定のコンポーネントは、強調や理解の目的で、他のコンポーネントと比べて拡大される。
【００２１】
本明細書では、通知デバイスの様々な実施形態について説明する。いくつかの実施形態では、通知デバイスは、患者の動きが検知され次第、通知を発行する。他の実施形態では、通知デバイスは、患者の失禁が検知され次第、通知を発行する。さらなる他の実施形態では、通知デバイスは、患者の動き及び／又は患者の失禁が検知され次第、通知を発行する。各実施形態では、通知デバイス１０は、センサパッド１００及び電子モジュール１５を含む。センサパッド１００及び電子モジュール１５の構成は、実施形態ごとに異なり得る。
【００２２】
電子モジュール１５は、図１に示されるように、電子機器（以下で説明する）及び少なくとも１つのバッテリ５０（図１Ａ及び２）を内包するハウジング２０を含むように構成することができる。ハウジング２０に含めることができる電子機器は、図２に示される。示されるように、電子モジュール１５は、センサパッド１００から延伸するワイヤのプラグ端部を受け入れるコネクタレセプタクルでも、センサパッドとの永久接続でもあり得るコネクタ７９を含む。電子機器は、音声記録を格納すること、及び、センサパッド１００からの信号に応答して患者が動いていると判断され次第、音声記録を再生することが可能ないかなる形態も取ることができる。従って、電子機器は、マイクロフォン６０、スピーカ６５、リセットプッシュボタン６７Ａ、ホールドプッシュボタン６７Ｂ、コントローラ７０（マイクロプロセッサ、デジタル信号プロセッサ又は離散電子コンポーネントであり得る）、メモリ７５（マイクロプロセッサ内部のメモリであり得る）、ボイスレコーダ７６、オーディオアンプ７７、センサパッド１００に接続するためのコネクタ７９、及び、１つ又は複数のバッテリ５０を含む。特に電子モジュールが使い捨ての場合は、センサパッドと共に捨てられるように、コネクタ７９の代わりに、センサパッド１００を電子モジュール１５に配線接続することができる。電子機器は、以下でさらに説明されるようなＬＥＤインジケータ７８ａ及び７８ｂ（図１）並びに送信機／受信機８０をさらに含み得る。
【００２３】
任意選択的な送信機８０は、情報を受信する遠隔受信機に情報（警報及び他のデータを含み得る）を送信するために提供することができる。次いで、この情報は、医療施設の自動記録データベースに又はそうでなければナースステーションにおいて格納することができる。情報は、以下のいずれか１つ又は複数、すなわち、患者がおねしょをしたという警告、患者がベッドから出た、椅子若しくは車椅子から立ち上がった又はトイレの便器から立ち上がったという警告、警告を発行した日時及び患者がベッド若しくは椅子に戻った日時、日時のスタンプ付きのセンサパッドの寿命の終わりが近づいているという警告、並びに、日時のスタンプ付きのセンサパッドの寿命の終わりを告げる警告を含み得る。日時のスタンプは、情報の受信側で生成し、記録データベースに格納することができる。送信機８０は、無線又は有線接続（ＵＳＢなど）によって結合することができる。記録データベースは、Ｃｅｒｎｅｒ又はＥＰＩＣ記録データベースなどのデータベースであり得る。
【００２４】
送信機８０は、スタッフが適切な行動を取ることができるように看護ステーションにおいて患者又は部屋及び警告を識別する適切な警報信号を生成するために、看護ステーション警報スイッチボードに無線又は有線接続によって結合することができる。接続ポート８２は、看護ステーションとの有線接続のために提供することができる。
【００２５】
また、コントローラ７０は、過去の情報をメモリ７５に格納することができる（又はそうでなければ過去の情報を格納できるように必要な情報を看護ステーション及び／又は記録データベースに送信することができる）。そのような過去の情報は、患者が過去に失禁に悩まされた時刻及び／又は患者がベッドから出たか若しくはベッドから出ようとした時刻を含み得る。この過去の情報を追跡することにより、失禁の出来事を完全に回避できるようにそれらの過去の時刻の直前に患者をチェックするために、携帯電話のテキスト又は他の警報メカニズムを介して看護師に警告を送信することができる。
【００２６】
いくつかの施設では、映像モニタリングを使用して、患者がベッドから出たか又はベッドから出る寸前である際にそれを識別することができる。この技法は効果的ではあるが、一人の人物が見張らなければならないモニタが多過ぎる場合が多い。本発明の警報システムを使用することにより、映像モニタを見張っている看護師又は他の人物は、例えば、転倒防止警報がトリガされた際に、特定の患者を観察するよう警告を受けることができる。患者がベッドから出たか又はベッドから出ようとしている場合は、看護師をその部屋に送ることができる。しかし、患者が転倒防止警報をトリガするほどしかベッドで動いていない場合は、モニタを見張っている人物は、看護師が応答する必要はないということが分かり、単に遠隔操作で警報をリセットするだけでよい。これにより、そうしなければ看護スタッフのかなりの時間を浪費したであろう誤通知が減る。
【００２７】
第１の実施形態によれば、通知デバイス１０は、患者の動き通知及び失禁通知を提供するように構成される。それに従って、通知デバイス１０は、患者によって加えられた圧力を検知し、患者によって加えられた圧力が検知され次第、圧力信号を生成するための圧力センサ１１１（図３及び８）を有するセンサパッド１００であって、失禁による水分を検知し、水分が第１及び第２の導電性トレース１２２及び１２４に広がった際に水分検出信号を生成するためにその外側上面１２０に提供された第１の近接導電性トレース１２２及び第２の近接導電性トレース１２４も有する、センサパッド１００を含む。この第１の実施形態では、電子モジュール１５は、センサパッド１００からの圧力信号の受信に応答して患者の動きの通知を生成するため及びセンサパッド１００からの水分検出信号の受信に応答して失禁の通知を生成するためにセンサパッド１００に通信可能に結合される。同じ通知デバイス１０で患者の動き通知と失禁通知の両方を提供することにより、以前は２つの別個のセンサパッド及び２つの別個の電子モジュールを必要とした両方の通知機能を実行するために、たった１つのセンサパッド１００及び１つの電子モジュール１５を提供すれば十分である。
【００２８】
センサパッド１００は、図１及び３に示されるように構築することができる。一般に、センサパッド１００は、患者によって加えられた圧力を検知し、患者によって加えられた圧力が検知され次第、圧力信号を生成するための圧力センサを提供するようにいかなる方式でも構築することができる。センサパッド１００のこの態様の具体的な構造については、以下でさらに説明する。失禁センサとしての機能をセンサパッド１００に持たせるため、第１の近接導電性トレース１２２及び第２の近接導電性トレース１２４は、センサパッド１００の上面１２０に配置される。第１及び第２の近接導電性トレースの各々は、第１及び第２の近接導電性トレース１２２及び１２４のそれぞれの互いにかみ合うブランチ１２６及び１２８間の間隔を維持するパターンで、導電性インクを使用して、センサパッド１００の表面に印刷することができる。ワイヤ１３０は、第１の近接導電性トレース１２２を電子モジュール１５のコントローラ７０に接続し、別のワイヤ１３２は、第２の近接導電性トレース１２４をコントローラ７０又は固定基準電圧のいずれかに接続する。第１及び第２の近接導電性トレース１２２及び１２４の互いにかみ合うブランチ１２６及び１２８は、センサパッド１００が乾燥している際にコントローラ７０が開回路を検出するように、十分離れて離間される。しかし、センサパッド１００の上面１２０に尿が存在する際は、尿は、第１及び第２の近接導電性トレース１２２及び１２４の互いにかみ合うブランチ１２６及び１２８にわたって広がり、それにより、第１の近接導電性トレース１２２と第２の近接導電性トレース１２４との間に導電性の経路が作成され、その結果、コントローラ７０は、閉回路を検知する。そのような閉回路が検知され次第、コントローラ７０は、警報を発生すること及び／又はナースステーションにコールすることができ、警報及び／又はコールは、病院の既存のナースコールシステムを介して送信することができる。電子モジュール１５は、センサパッド１００が新しい乾燥したセンサパッドと交換されるまで失禁警報又はコールが続くように構成することができる。
【００２９】
本明細書で使用される場合は、「通信可能に結合される」という用語は、２つのコンポーネントが互いに通信するように、２つのコンポーネントが関連付けられ、構成されることを意味する。そのような通信可能な結合は、デバイスを配線接続することによって又はデバイス間で無線通信を提供することによって提供することができる。従って、センサパッド１００は、電子モジュール１５に／電子モジュール１５から無線信号を送信／受信するための送信機及び／又は受信機をさらに含み得る。
【００３０】
第２の実施形態によれば、上記で説明されるような第１の実施形態の通知デバイス１０は、図４及び５に示されるような吸水性チャック１５０と組み合わせて使用される。吸水性チャック１５０は、その上面に吸水性材料１５４を有する不透水性シート１５２（プラスチックシートなど）を含む。吸水性チャック１５０の不透水性シート１５２は、センサパッド１００を受け入れるための開口部１５５を有し、その結果、センサパッド１００上の第１及び第２の導電性トレース１２２及び１２４は、開口部１５５を通じて又は開口部１５５の上方に露出される。吸水性材料１５４は、センサパッド１００の上面１２０にわたって延在することも（図５）、センサパッド１００の上方のその領域から除去することも（図４）できる。センサパッド１００上／センサパッド１００の周りに吸水性チャック１５０を提供することにより、寝具を乾燥した状態で保つために、従来の方式で、チャック１５０による尿の吸収を行うことができる。以前であれば、吸水性チャックの使用は、そうしなければ尿がセンサパッドに到達することを阻止したであろう不透水性シート１５２の存在が原因で、失禁センサパッドの使用を難しくしたであろう。センサパッド１００を適応させるために開口部１５５を含むように修正されていることは別として、吸水性チャック１５０は、いかなる従来の方式でも構築することができる。
【００３１】
この実施形態は、第１の実施形態のセンサパッド１００を使用するものとして説明しているが、吸水性チャック１５０と共に、本明細書で説明される他の実施形態によるセンサパッドを使用できることを把握すべきである。さらに、センサパッドは、失禁のみを検知して患者の動きを検知しない吸水性チャックと共に使用することができる。
【００３２】
図６は、通知デバイス１０の第３の実施形態の例を示す。この第３の実施形態では、センサパッド１００は、第１の検知ゾーン２００及び第２の検知ゾーン２０２ａを含むように構成される。第１の検知ゾーン２００は、患者によって第１の検知ゾーンに加えられた圧力を検知し、患者によって第１の検知ゾーン２００に加えられた圧力が検知され次第、第１の信号を生成する。第２の検知ゾーン２０２ａは、患者によって第２の検知ゾーン２０２ａに加えられた圧力を検知し、患者によって第２の検知ゾーン２０２ａに加えられた圧力が検知され次第、第２の信号を生成する。電子モジュール１５は、以下で説明される方式で、センサパッド１００からの第１の信号及び第２の信号の少なくとも１つの受信又は非受信に応答して患者の動きの通知を生成する。以下で説明されるように、任意選択的に、患者によって第３の検知ゾーン２０２ｂに加えられた圧力を検知する第３の検知ゾーン２０２ｂを提供することができる。また、追加の検知ゾーンを提供することもできる。
【００３３】
上記で論じられるように、既存の患者の動き通知デバイスは、患者がベッドで寝返りを打っただけで誤警報を出す傾向がある。少なくとも２つの別個の検知ゾーン２００及び２００ａを提供することにより、誤警報を大幅に低減しながら、患者がベッドから移動したか又はベッドから移動する寸前である際にそれをより正確に判断するマルチゾーンセンサパッド１００を提供することができる。このことは、コントローラ７０が患者の動きについてより正確に判断することができるように、電子モジュール１５に追加の情報を提供するマルチゾーン検知パッド１００を提供することによって遂行される。コントローラ７０が様々なゾーンからの情報を使用する方式については、以下でさらに説明する。
【００３４】
第１の検知ゾーン２００は、センサパッド１００上に、患者が横になる可能性が高いベッドの中央に配置されるように位置する。第２の検知ゾーン２０２ａは、センサパッド１００上に、患者がベッドを抜け出し得るベッドの側方に向けて位置する。任意選択的な第３のセンサゾーン２０２ｂが提供される場合は、第３の検知ゾーン２０２ｂは、センサパッド１００上に、患者がベッドを抜け出し得るベッドの側方の反対側に向けて位置付けられるように、第２の検知ゾーン２０２ａが位置する端部とは反対側のセンサパッドの端部に位置する。明らかであるように、第３の検知ゾーン２０２ｂを有するセンサパッド１００は、患者がベッドのいずれの側方からも抜け出せるように患者のベッドが位置付けられる際に使用される可能性が高い。患者がベッドから抜け出せる側方が１つしか存在しないようにベッドが壁に押し付けられている場合は、２ゾーンセンサパッドで十分であろう。
【００３５】
マルチゾーン検知パッド１００と共に使用される場合は、電子モジュール１５は、中央に位置する第１の検知ゾーン２００から生成された第１の信号が受信され次第、モニタリングモードに入るように構成することができる。従って、第１の信号の受信は、患者が第１の検知ゾーン２００に圧力を加えていること、及び、患者が今ベッドにいることを示す。モニタリングモードの際は、電子モジュール１５は、第１の信号が受信されている限り、患者の動きの通知を生成しない。コントローラ７０はバッテリ電力を節約するために周期的な間隔でセンサパッド１００から出力をサンプリングすることができるため、第１の信号を連続して受信する必要はないことに留意されたい。モニタリングモードの際は、電子モジュール１５は、（１）既定の期間の間（例えば、２秒間）第１の信号を受信しておらず、且つ、第２の検知ゾーン２０２ａ（若しくは存在する場合は第３の検知ゾーン２０２ｂ）から信号を受信していない際、又は（２）もはや第１の信号を受信していないが、第２の信号（若しくはセンサパッド１００が第３の検知ゾーンを有する場合は第３の信号）を受信しており、それにより、患者が第１の検知ゾーン２００から第２の検知ゾーン２０２ａ（若しくは任意選択的な第３の検知ゾーン２０２ｂ）に移動し、ベッドを抜け出す過程にあることが示されている際のいずれかにおいて患者の動きの通知を生成する。第１の信号を受信しておらず、第２又は第３のいずれの検知ゾーンからも信号を受信していない場合に既定の期間の間待つことにより、患者が寝返りを打ちながら単に第１の検知ゾーン２００から体を持ち上げただけである場合における誤警報が防がれる。しかし、既定の期間が経過した場合は、そうしなければ第２又は第３のセンサゾーン２０２ａ又は２０２ｂによって検出されたであろう、患者がベッドから（ベッドの側方というよりむしろベッドの端から）抜け出そうとしたという可能性が高くなるため、電子モジュール１５は、患者の動きの通知を生成する。
【００３６】
電子モジュール１５によって生成される患者の動きの通知は、オーディオ及び／又は視覚警報並びに／或いはナースステーションへのコールを含み得、警報及び／又はコールは、病院の既存のナースコールシステムを介して送信することができる。オーディオ警報は、「ベッドにいてください」などの事前に記録されたメッセージの再生を含み得る。様々な検知ゾーンから受信された信号に応じて、異なるメッセージを再生することができる。例えば、もはや第１の検知ゾーン２００から第１の信号を受信していないが、第２の検知ゾーン２０２ａ（又は第３の検知ゾーン２０２ｂ）から信号を受信した場合は、コントローラ７０は、患者は未だベッドを離れていないがベッドを離れる寸前であると判断し、「ベッドにいてください。助けが必要ならば、ナースコールボタンを使用してください。」などのメッセージを再生することができる。この場合は、ナースステーションへのコールが行われることも、行われないこともあり得る。しかし、既定の期間の間第１又は第２の（若しくは第３の）いずれの検知ゾーンからも信号を受信しなかった場合は、コントローラ７０は、患者はベッドを離れたと判断し、「ベッドに戻ってください。ナースコールが行われました。」などのメッセージを再生することができる。この場合は、ナースステーションへのコールが行われ得る。従って、状況に応じて異なるメッセージを再生できるのみならず、複数の検知ゾーンを使用して検知された状況に応じてナースステーションへのコールも行うことができる。
【００３７】
第３の実施形態による通知デバイス１０は患者の動き通知デバイスとしてのみ上記で説明されているが、通知デバイスが失禁通知デバイスとしても機能できるように、第１の実施形態のものと同様の導電性トレースをセンサパッド１００の上面に提供することができる。さらに、第２の実施形態に対して上記で論じられるものと同じ方式で、吸水性チャック１５０をセンサパッド１００と組み合わせることができる。
【００３８】
上記で言及されるように、患者の動き通知デバイスと関連付けられる別の問題は、エアマットレス上で使用される際は、特に、約７０〜１５０ポンドの体重の患者の場合、センサパッドはセンサパッドの上下からの圧力損失を効果的に区別しないため、正確に動作しない可能性があることである。この問題に対処するため、通知デバイス１０の第４の実施形態は、中央領域２５０及び４つの従属脚部２５２ａ〜２５２ｄを含む修正されたセンサパッド１００（図７）を含む。第１の従属脚部２５２ａは、中央領域２５０から第１の方向に延在し、第２の従属脚部２５２ｂは、中央領域２５０から第２の方向に延在し、第２の方向は、第１の方向とは反対の方向である。第３の従属脚部２５２ｃは、中央領域２５０から第３の方向に延在し、第３の方向は、第１及び第２の方向に実質的に垂直である。第４の従属脚部２５２ｄは、中央領域２５０から第４の方向に延在し、第４の方向は、第３の方向とは反対の方向であり、第１及び第２の方向に実質的に垂直である。従属脚部２５２ａ〜２５２ｄを提供することにより、単に従来方式で成形されたセンサパッドのサイズを増加するのではなく、従って、センサパッドの材料費を比例的に増加するのでもなく、センサパッド１００の有効エリアを増加することができる。
【００３９】
第４の実施形態による通知デバイス１０は患者の動き通知デバイスとしてのみ上記で説明されているが、通知デバイス１０が失禁通知デバイスとしても機能できるように、第１の実施形態のものと同様の導電性トレースをセンサパッド１００の上面に提供することができる。さらに、第２の実施形態に対して上記で論じられるものと同じ方式で、吸水性チャック１５０をセンサパッド１００と組み合わせることができる。それに加えて、センサパッド１００は、第３の実施形態において説明されるような複数の検知ゾーンを含み得る。
【００４０】
上記で説明される実施形態の各々の場合、センサパッド１００は使い捨てであり、従って、別々に販売され、電子モジュール１５に取り外し可能且つ通信可能に結合されるように構成されるであろう。それに従って、４つの上記の実施形態に対し、単にそれぞれのセンサパッドを構成する４つの追加の実施形態が存在し、それぞれのセンサパッドは、吸水性チャック１５０と組み合わせて使用することができる。
【００４１】
電子モジュール１５は、再利用可能なものでも、その全開示が参照により本明細書に組み込まれる米国特許出願公開第２０１４／０２２１８７６Ａ１号明細書で説明されるような使い捨てのものでもよい。
【００４２】
電子モジュール１５を使い捨てにすることの利益は、それにより資本資産として通知デバイスのこの部分をモニタする必要性が排除されることである。それに加えて、電子モジュールは、起動から特定の日数（すなわち、起動から１５日）後に機能しなくなるようにそれ自体を永久的に停止するように構築することができる。このようにすることで、病院は、最初に使用した日付をログ記録するよりむしろ、デバイスが停止したか又は停止する寸前であるかをチェックするだけで、推奨されるように１５日ごとにセンサを交換することができる。この関連で、電子モジュールは、事前に（数時間前に）警告を出し、停止することができる。患者の動きの警告信号を看護ステーションに中継するようにデバイスを設計することができるため、デバイスは、さらに、停止の事前警告も看護ステーションに送信することができる。１５日の期間が終了したか又は終了しかけているという警告を提供するように、使い捨てではないモジュールに対して停止（又はタイムアウト）特徴を修正できることも把握すべきである。
【００４３】
電子モジュールが使い捨てのものとして設計される場合は、ハウジング２０（図１及び１Ａ）は、交換又は取り外しができないようにバッテリ５０にアクセスできないように設計することができる。これにより、ユニットの部品総数及び費用が低減し、さらに説明されるようなデバイスを起動するための安価なメカニズムが提供される。ハウジング２０は、図１Ａの部分的な断面図に示されるように、バッテリ５０の一方の端部５２及びバッテリ５０のその端部５２を接続するバッテリ端子２４の最も近くに位置付けられたスロット２２をさらに含み得る。ハウジング２０からスロット２２を通じてバッテリ５０の端部５２と端子２４との間に延在するプラスチックタブ３０が提供され、その結果、ユーザがスロット２２からタブ３０を引き出すまで電子機器は電力を受信しない。
【００４４】
センサパッド１００の圧力センサは、従来の構造を有することも、図８に示される構造を有することもできる。従来の圧力センサは、３枚のボール紙を使用して構築され、そのうちの２枚は、導電性パッドでコーティングされ、互いに向き合っており、発泡体が取り付けられた３枚目のボール紙は、他の２枚のボール紙の間に置かれる。各導電性パッドにはワイヤが取り付けられており、センサは、プラスチック袋内に密封される。
【００４５】
図８は、センサパッド１００用の圧力センサ１１１の例を示し、シート１０２（プラスチックシートなど）の内面には導電性インクが印刷され、導電性接触面１０４及び１０６を形成する。次いで、ワイヤ１０８及び１１０は、導電性接触面に固定することができ、次いで、発泡体１１２は、導電性接触面のうちの１つに横たえることができる。次いで、シート１０２は、導電性接触面１０４及び１０６が互いに向き合い、導電性接触面１０４と導電性接触面１０６との間に発泡体１１２が配置されるように折り畳んで密閉することができる。そのようなセンサ１００は、多くの異なるサイズ及び形状で形成することができる。従って、新規のセンサは、より少ない部品及びより低い費用を有する。図８に示されるセンサ１００は、その全開示が参照により本明細書に組み込まれる同一出願人による米国特許出願公開第２０１４／０２２１８７６Ａ１号明細書で開示されている。従来の圧力センサ構造又は図８に示される構造のいずれかを有するセンサパッドは、上記の実施形態のいずれにおいても使用することができる。
【００４６】
ベッド、椅子又は車椅子上にセンサを提供することに加えて、患者が患者自身でトイレの便器から立ち上がろうとしたことを看護人に通知するために、センサの別のバージョンをトイレの便器上に置くことができる。そのようなトイレの便器への応用のためのセンサは、患者の皮膚が接触するトイレの便器の表面に接続及び付着することができるフレキシブル回路を使用して構築することができる。従って、デバイスは、圧力ではなく、人間の皮膚のプロパティを検知することになる。ユニットは、患者がフレックス回路接点に触れた時点で起動される。或いは、トイレの便器センサは、圧力を検知するように構成することができ、便座と便器との間に置くことも、前座の上部に置くこともできる。
【００４７】
低価のマイクロコントローラは、コントローラ７０として使用することができ、アプリケーション論理、警報トーンの発生、他のコンポーネントの動作の調節及びスイッチ検知を含む複数の目的を果たすことができる。適切なマイクロコントローラの１つは、ＰＩＣ２４Ｆ０４ＫＡ２００である。ＰＩＣ２４Ｆ０４ＫＡ２００は、ＭｉｃｒｏｃｈｉｐからのＰＩＣ２４製品カタログにおける安価のエントリレベルの１６ビットコントローラである。この特定のコントローラは、その低価格及び小さなフォームファクタから利益を得ている。マイクロコントローラは、低電圧（名目上、３．０Ｖ）で動作するが、バッテリレベルがその動作寿命（２．８Ｖ）を超えて降下する間にも動作することができる。
【００４８】
コントローラ７０は、デバイスの動作の調節に対する責任を有する。具体的には、電子モジュール１５が使い捨ての場合は、コントローラ７０は、ユニットがアクティブ状態である時間（初期の始動から測定される）を追跡する。この時間は、累積され、不揮発性メモリ７５に周期的に格納される（改ざんを防ぐ）。既定の耐用期間が切れると、コントローラ７０は、もはやその基本的な動作機能を提供しない。これにより、ユーザは、ユニットを交換しなければならなくなる。
【００４９】
コントローラ７０は、音データを実際に記録する必要はないが、コントローラ７０は、ボイスレコーダの状態及びオペレーションを制御することができる。ユーザ入力を提供すると（ボタン６７又は患者センサから）、コントローラは、記録又は再生するようにボイスレコーダにコマンドを出す。ボイスレコーダは、オーディオ詳細の取り扱いに対する責任のみを有する。
【００５０】
また、記録の再生は、ボイスレコーダによっても実行することができる。ユニットが発生することができる警報トーンは、コントローラの責任であり得る。この動作は、オーディオラインに接続されるピンを単に切り替えることによって行われる。この警報トーンは、方形波としてオーディオアンプに現れ、これを受けて、オーディオアンプは、音が大きな警報を発生する。コントローラは、オーディオアンプの始動状態を制御する。この制御は、非アクティブ期間の間に電力消費量を知的に低減するために行われる。コントローラは、必要な時にだけアンプをオンにする。
【００５１】
最後に、コントローラは、ユーザ入力を検知する。記録用のボタン６７Ｂは、コントローラによって追跡される。さらに重要なことには、コントローラは、取り付けられたフレックス回路又は患者センサとの患者の接触を検知するためのハードウェアの全てを内包する。コントローラは、ＰＧＭコネクタを通じてプログラムすることができる。
【００５２】
ハウジング２０及びセンサパッド１００の外面は、好ましくは、抗菌物質で処理される。ハウジング２０及びセンサパッド１００の表面は、溶液を使用して表面にスプレーすること及び／又はそのような溶液に浸した拭き取り用繊維を使用して塗布することができる抗菌処理でコーティングされる。適切な拭き取り用繊維及び溶液は、その全開示が参照により本明細書に組み込まれる同一出願人による米国特許第８，４９１，９２２号明細書で開示されている。
【００５３】
図９Ａ及び９Ｂは、統合失禁センサパッド３０２を有するおむつ３００を示し、統合失禁センサパッド３０２は、第１の近接導電性トレース３０４ａ及び第２の近接導電性トレース３０４ｂを伴う不透水性シート３０６ａを有し、第１の近接導電性トレース３０４ａ及び第２の近接導電性トレース３０４ｂは両方とも、失禁による水分を検知し、水分が第１及び第２の導電性トレース３０４ａ及び３０４ｂに広がった際に水分検出信号を生成するためにその内側上面に提供される。おむつ３００は、その内側上面に吸水性材料３０８を有する不透水性シート３０６をさらに含む。不透水性シート３０６は、センサパッド３０２を受け入れるための開口部３１０を有し、その結果、センサパッド３０２上の第１及び第２の導電性トレース３０４ａ及び３０４ｂは、開口部３１０を通じて又は開口部３１０の上方に露出される。不透水性シート３０６及び吸水性材料３０８は、大人又は幼児用おむつで使用されるいかなる従来の材料でも作ることができる。センサパッド３０２は、ナースステーションにあり得る通知デバイスに水分検出信号を無線送信するための送信機を含み得る。
【００５４】
上記の実施形態の様々な態様は、ベッドに組み入れることができる。例えば、患者の動き通知デバイスセンサパッド１００は、ベッドマットレスに組み入れることができる。そのようなベッド４００の例は、図１０に示される。この事例では、ベッド４００は、有線又は無線接続を介して統合センサパッド１００を電子モジュール１５に接続するための電子インタフェース４０２を含み、吸水性チャック１５０及び失禁センサ４０６は、マットレス４０４の上部に提供することができ、共通の電子モジュール１５又は警報インタフェースを使用することができるように、ベッド４００に含まれる電子インタフェース４０２に接続することができる。失禁センサ４０６は、トレース１２２及び１２４がその上に提供される水分不透過性シート４０８を含み得る。
【００５５】
上記の説明は、好ましい実施形態のみのものと見なされる。本発明の変更は、当業者及び本発明を作成又は使用する者であれば思い浮かぶであろう。従って、図面に示され、上記で説明される実施形態は、単なる例示を目的とし、本発明の範囲を制限することを意図しないことが理解されており、均等論を含む特許法の原則に従って解釈されるように、本発明の範囲は、後に提示される請求項によって定義される。
【図１】
2019506999.tif 000003
【図１Ａ】
2019506999.tif 000004
【図２】
2019506999.tif 000005
【図３】
2019506999.tif 000006
【図４】
2019506999.tif 000007
【図５】
2019506999.tif 000008
【図６】
2019506999.tif 000009
【図７】
2019506999.tif 000010
【図８】
2019506999.tif 000011
【図９Ａ】
2019506999.tif 000012
【図９Ｂ】
2019506999.tif 000013
【図１０】
2019506999.tif 000014
【国際調査報告】
2019506999.tif 000015
2019506999.tif 000016